(57)【要約】【課題】  分割されたテープ心線に耳（剪断残さ）が残らないようにする。【解決手段】光ファイバテープ心線分割工具１は、固定側剪断用部材１９と可動側剪断用部材１３とからなる。前記固定側剪断用部材１９は、異なる深さで並列に設けた複数の第１スロット２１と、テープ心線１１をその厚さ方向に剪断力を加えて分割するための複数の第１剪断刃２３とを有している。前記可動側剪断用部材１３は、前記複数の各第１スロット２１に対向して異なる深さで並列に設けた複数の第２スロット２５と、前記各第１剪断刃２３に対向して設けた複数の第２剪断刃２７とを備えた可動側剪断用部材１３とを有している。所望の深さの第１、第２スロット２５にテープ心線１１を挿入し、可動側剪断用部材１３を剪断の順方向に移動してテープ心線１１を分割した後、前記剪断の順方向とは逆方向に移動して前記テープ心線１１を再剪断して耳（剪断残さ）を切断する。【選択図】  図１
2007304412.tif 000002
【特許請求の範囲】
【請求項１】
光ファイバテープ心線をその幅方向に挿入可能で、且つ前記光ファイバテープ心線を所望の位置で分割すべく異なる深さで並列に設けた複数の第１スロットと、この各第１スロットのコーナ部に形成して前記光ファイバテープ心線をその厚さ方向に剪断力を加えて分割する複数の第１剪断刃と、を備えた固定側剪断用部材と、
前記固定側剪断用部材の複数の各第１スロットに対向して前記光ファイバテープ心線をその幅方向に挿入可能で、且つ前記光ファイバテープ心線を所望の位置で分割すべく異なる深さで並列に設けた複数の第２スロットと、この各第２スロットのコーナ部に形成して前記複数の各第１剪断刃と協働して前記光ファイバテープ心線を分割する複数の第２剪断刃と、を備えた可動側剪断用部材と、
前記可動側剪断用部材を前記固定側剪断用部材に対して剪断の順方向に移動して前記光ファイバテープ心線を剪断した後に前記剪断の順方向とは逆方向に移動して前記光ファイバテープ心線を再剪断せしめる可動側剪断用部材移動手段と、を設けてなることを特徴とする光ファイバテープ心線分割工具。
【請求項２】
光ファイバテープ心線をその厚さ方向に剪断力を加えて分割するための複数の第１剪断刃を備えた固定側剪断用部材と、前記各第１剪断刃と協働して前記剪断力を加えるべく前記各第１剪断刃に対向して設けた複数の第２剪断刃を備えた可動側剪断用部材と、を有する光ファイバテープ心線分割工具を用いて光ファイバテープ心線を分割する際に、
前記固定側剪断用部材に異なる深さで並列に設けた複数の第１スロットと、前記可動側剪断用部材に前記複数の各第１スロットに対向して異なる深さで並列に設けた複数の第２スロットと、の組合せのうちで、光ファイバテープ心線を所望の位置で分割する深さの第１、第２スロットに光ファイバテープ心線を挿入し、
前記可動側剪断用部材を前記固定側剪断用部材に対して剪断の順方向に移動することにより、前記第１スロットのコーナ部に形成した第１剪断刃と前記第２スロットのコーナ部に形成した第２剪断刃とで前記光ファイバテープ心線を剪断し、
次いで、前記可動側剪断用部材を前記固定側剪断用部材に対して前記剪断の順方向とは逆方向に移動することにより、前記光ファイバテープ心線を再剪断して剪断残さを切断して分割することを特徴とする光ファイバテープ心線の分割方法。
【請求項３】
光ファイバテープ心線をその厚さ方向に剪断力を加えて分割するための複数の第１剪断刃を備えた固定側剪断用部材と、前記各第１剪断刃と協働して前記剪断力を加えるべく前記各第１剪断刃に対向して設けた複数の第２剪断刃を備えた可動側剪断用部材と、を有する光ファイバテープ心線分割工具を用いて光ファイバテープ心線を分割する際に、
前記固定側剪断用部材に異なる深さで並列に設けた複数の第１スロットと、前記可動側剪断用部材に前記複数の各第１スロットに対向して異なる深さで並列に設けた複数の第２スロットと、の組合せのうちで、光ファイバテープ心線を所望の位置で分割する深さの第１、第２スロットに光ファイバテープ心線を挿入し、
前記可動側剪断用部材を前記固定側剪断用部材に対して剪断の順方向に移動することにより、前記第１スロットのコーナ部に形成した第１剪断刃と前記第２スロットのコーナ部に形成した第２剪断刃とで前記光ファイバテープ心線を剪断し、
次いで、前記可動側剪断用部材を前記固定側剪断用部材に対して前記剪断の順方向とは逆方向に移動することにより、前記光ファイバテープ心線を再剪断して剪断残さを切断した後、前記光ファイバテープ心線分割工具を光ファイバテープ心線の長手方向に移動させて必要長さのみの剪断残さを取り除きながら分割することを特徴とする光ファイバテープ心線の分割方法。
【請求項４】
光ファイバテープ心線をその厚さ方向に剪断力を加えて分割するための複数の第１剪断刃を備えた固定側剪断用部材と、前記各第１剪断刃と協働して前記剪断力を加えるべく前記各第１剪断刃に対向して設けた複数の第２剪断刃を備えた可動側剪断用部材と、を有する光ファイバテープ心線分割工具を用いて光ファイバテープ心線を分割する際に、
前記固定側剪断用部材に異なる深さで並列に設けた複数の第１スロットと、前記可動側剪断用部材に前記複数の各第１スロットに対向して異なる深さで並列に設けた複数の第２スロットと、の組合せのうちで、光ファイバテープ心線を所望の位置で分割する深さの第１、第２スロットに光ファイバテープ心線を挿入し、
前記可動側剪断用部材を前記固定側剪断用部材に対して剪断の順方向に移動することにより、前記第１スロットのコーナ部に形成した第１剪断刃と前記第２スロットのコーナ部に形成した第２剪断刃とで前記光ファイバテープ心線を剪断した後、前記光ファイバテープ心線分割工具を光ファイバテープ心線の長手方向に移動させて必要長さのみを分割し、
次いで、前記可動側剪断用部材を前記固定側剪断用部材に対して前記剪断の順方向とは逆方向に移動することにより、前記光ファイバテープ心線を再剪断して剪断残さを切断した後、再び前記光ファイバテープ心線分割工具を光ファイバテープ心線の長手方向に移動させて前記剪断残さを取り除きながら分割することを特徴とする光ファイバテープ心線の分割方法。
【発明の詳細な説明】
【技術分野】
【０００１】
この発明は、光ファイバテープ心線分割工具及び光ファイバテープ心線の分割方法に関し、特に相対向する固定側剪断用部材と可動側剪断用部材に備えたスロットの中に光ファイバテープ心線を挟み込み、前記可動側剪断用部材をスライド移動させて、前記スロットのコーナ部に形成した剪断刃により前記光ファイバテープ心線を分割する光ファイバテープ心線分割工具及び光ファイバテープ心線の分割方法に関する。
【背景技術】
【０００２】
図４（Ａ）〜（Ｃ）を参照するに、従来の光ファイバテープ心線分割工具１０１（以下、単に「テープ心線分割工具」という）においては、例えば、特許文献１〜特許文献３に示されているのであるが、固定された複数の上部剪断刃１０３と複数の上部スロット１０５を備えた上部ダイ１０７と、前記各上部剪断刃１０３と各上部スロット１０５に対向して設けられた複数の下部剪断刃１０９と複数の下部スロット１１１を備えた下部ダイ１１３と、からなり、前記下部ダイ１１３が上部ダイ１０７に対して剪断方向に可動するように構成されている。なお、図４（Ａ）では、対向する上部、下部剪断刃１０３，１０９と上部、下部スロット１０５，１１１の１つの組合せだけが図示されている。
【０００３】
また、上記の複数の上部、下部スロット１０５，１１１は、光ファイバテープ心線１１５（以下、単に「テープ心線」という）を所望の分割比で分割を可能とするために、例えば８心テープ心線１１５の場合は、心数が４：４、あるいは２：６などのように所望の分割比で分割を可能とするために、深さが異なっている。換言すれば、複数の各上部、下部剪断刃１０３，１０９の長さが異なっている。
【０００４】
図４（Ａ）に示されているように、前記上部、下部スロット１０５，１１１には、例えば８心テープ心線１１５が挟み込まれる。図４（Ａ）の上部、下部スロット１０５，１１１は心数が４：４の分割比で分割できるものである。次いで、図４（Ｂ）に示されているように、下部ダイ１１３が矢印で示した剪断方向に移動されると、８心テープ心線１１５は、上部剪断刃１０３と下部剪断刃１０９との協働で８心テープ心線１１５の厚さ方向に剪断され、心数が４：４の分割比でテープ心線１１５Ａとテープ心線１１５Ｂに分割されることになる。
【０００５】
次いで、図４（Ｂ）の状態で、テープ心線分割工具１０１を８心テープ心線１１５の長手方向（図（４）Ｂにおいて紙面に対して直交する方向）にスライド移動させることにより、図４（Ｃ）に示されているように上部、下部スロット１０５，１１１の中の８心テープ心線１１５がその長手方向に裂かれることになり、必要な長さだけ分割することができる。
【特許文献１】ＵＳ５９２６５９８号公報
【特許文献２】特開２００１−１１６９２９号公報
【特許文献３】特開平１１−２２３７３１号公報
【発明の開示】
【発明が解決しようとする課題】
【０００６】
ところで、従来の光ファイバテープ心線分割工具１０１においては、図４（Ｂ）に示されているように下部ダイ１１３が剪断方向にスライドする瞬間に、テープ心線１１５の構造上、どうしても分割された分割テープ心線１１５の剪断面に余剰被覆１１７（剪断残さで、以下、単に「耳」という）が残るという問題点があった。
【０００７】
分割テープ心線１１５の耳１１７は、図４（Ｃ）に示されているように分割テープ心線１１５の剪断面からはみ出した状態になる。
【０００８】
上記の分割テープ心線１１５は、図５に示されているように多心融着接続機１１９のファイバホルダ１２１などにセットされる際に、ファイバホルダ１２１の中には分割テープ心線１１５の幅寸法に対してぎりぎりの寸法からなる溝幅のものが存在するために、分割テープ心線１１５の耳１１７が邪魔になるので、セットしにくいという問題点があった。
【課題を解決するための手段】
【０００９】
上記発明が解決しようとする課題を達成するために、この発明の光ファイバテープ心線分割工具は、光ファイバテープ心線をその幅方向に挿入可能で、且つ前記光ファイバテープ心線を所望の位置で分割すべく異なる深さで並列に設けた複数の第１スロットと、この各第１スロットのコーナ部に形成して前記光ファイバテープ心線をその厚さ方向に剪断力を加えて分割する複数の第１剪断刃と、を備えた固定側剪断用部材と、
前記固定側剪断用部材の複数の各第１スロットに対向して前記光ファイバテープ心線をその幅方向に挿入可能で、且つ前記光ファイバテープ心線を所望の位置で分割すべく異なる深さで並列に設けた複数の第２スロットと、この各第２スロットのコーナ部に形成して前記複数の各第１剪断刃と協働して前記光ファイバテープ心線を分割する複数の第２剪断刃と、を備えた可動側剪断用部材と、
前記可動側剪断用部材を前記固定側剪断用部材に対して剪断の順方向に移動して前記光ファイバテープ心線を剪断した後に前記剪断の順方向とは逆方向に移動して前記光ファイバテープ心線を再剪断せしめる可動側剪断用部材移動手段と、を設けてなることを特徴とするものである。
【００１０】
この発明の光ファイバテープ心線の分割方法は、光ファイバテープ心線をその厚さ方向に剪断力を加えて分割するための複数の第１剪断刃を備えた固定側剪断用部材と、前記各第１剪断刃と協働して前記剪断力を加えるべく前記各第１剪断刃に対向して設けた複数の第２剪断刃を備えた可動側剪断用部材と、を有する光ファイバテープ心線分割工具を用いて光ファイバテープ心線を分割する際に、
前記固定側剪断用部材に異なる深さで並列に設けた複数の第１スロットと、前記可動側剪断用部材に前記複数の各第１スロットに対向して異なる深さで並列に設けた複数の第２スロットと、の組合せのうちで、光ファイバテープ心線を所望の位置で分割する深さの第１、第２スロットに光ファイバテープ心線を挿入し、
前記可動側剪断用部材を前記固定側剪断用部材に対して剪断の順方向に移動することにより、前記第１スロットのコーナ部に形成した第１剪断刃と前記第２スロットのコーナ部に形成した第２剪断刃とで前記光ファイバテープ心線を剪断し、
次いで、前記可動側剪断用部材を前記固定側剪断用部材に対して前記剪断の順方向とは逆方向に移動することにより、前記光ファイバテープ心線を再剪断して剪断残さを切断して分割することを特徴とするものである。
【００１１】
また、この発明の光ファイバテープ心線の分割方法は、光ファイバテープ心線をその厚さ方向に剪断力を加えて分割するための複数の第１剪断刃を備えた固定側剪断用部材と、前記各第１剪断刃と協働して前記剪断力を加えるべく前記各第１剪断刃に対向して設けた複数の第２剪断刃を備えた可動側剪断用部材と、を有する光ファイバテープ心線分割工具を用いて光ファイバテープ心線を分割する際に、
前記固定側剪断用部材に異なる深さで並列に設けた複数の第１スロットと、前記可動側剪断用部材に前記複数の各第１スロットに対向して異なる深さで並列に設けた複数の第２スロットと、の組合せのうちで、光ファイバテープ心線を所望の位置で分割する深さの第１、第２スロットに光ファイバテープ心線を挿入し、
前記可動側剪断用部材を前記固定側剪断用部材に対して剪断の順方向に移動することにより、前記第１スロットのコーナ部に形成した第１剪断刃と前記第２スロットのコーナ部に形成した第２剪断刃とで前記光ファイバテープ心線を剪断し、
次いで、前記可動側剪断用部材を前記固定側剪断用部材に対して前記剪断の順方向とは逆方向に移動することにより、前記光ファイバテープ心線を再剪断して剪断残さを切断した後、前記光ファイバテープ心線分割工具を光ファイバテープ心線の長手方向に移動させて必要長さのみの剪断残さを取り除きながら分割することを特徴とするものである。
【００１２】
また、この発明の光ファイバテープ心線の分割方法は、光ファイバテープ心線をその厚さ方向に剪断力を加えて分割するための複数の第１剪断刃を備えた固定側剪断用部材と、前記各第１剪断刃と協働して前記剪断力を加えるべく前記各第１剪断刃に対向して設けた複数の第２剪断刃を備えた可動側剪断用部材と、を有する光ファイバテープ心線分割工具を用いて光ファイバテープ心線を分割する際に、
前記固定側剪断用部材に異なる深さで並列に設けた複数の第１スロットと、前記可動側剪断用部材に前記複数の各第１スロットに対向して異なる深さで並列に設けた複数の第２スロットと、の組合せのうちで、光ファイバテープ心線を所望の位置で分割する深さの第１、第２スロットに光ファイバテープ心線を挿入し、
前記可動側剪断用部材を前記固定側剪断用部材に対して剪断の順方向に移動することにより、前記第１スロットのコーナ部に形成した第１剪断刃と前記第２スロットのコーナ部に形成した第２剪断刃とで前記光ファイバテープ心線を剪断した後、前記光ファイバテープ心線分割工具を光ファイバテープ心線の長手方向に移動させて必要長さのみを分割し、
次いで、前記可動側剪断用部材を前記固定側剪断用部材に対して前記剪断の順方向とは逆方向に移動することにより、前記光ファイバテープ心線を再剪断して剪断残さを切断した後、再び前記光ファイバテープ心線分割工具を光ファイバテープ心線の長手方向に移動させて前記剪断残さを取り除きながら分割することを特徴とするものである。
【発明の効果】
【００１３】
以上のごとき課題を解決するための手段から理解されるように、この発明の光ファイバテープ心線分割工具によれば、可動側剪断用部材を剪断の順方向に移動してテープ心線を分割するように剪断した後に剪断の順方向とは逆方向に移動して前記テープ心線を再剪断する構成であるので、分割されたテープ心線に剪断残さが残る事態を無くすことができ、多心融着接続機のファイバホルダなどにセットしやすくなる。
【００１４】
また、この発明の光ファイバテープ心線の分割方法によれば、可動側剪断用部材を剪断の順方向に移動してテープ心線を分割するように剪断した後に剪断の順方向とは逆方向に移動して前記テープ心線を再剪断するので、分割されたテープ心線に剪断残さが残る事態を無くすことができ、多心融着接続機のファイバホルダなどにセットしやすくなる。
【００１５】
また、この発明の光ファイバテープ心線の分割方法によれば、可動側剪断用部材を剪断の順方向に移動してテープ心線を分割するように剪断した後に剪断の順方向とは逆方向に移動して前記テープ心線を再剪断して剪断残さを切断し、その後にテープ心線分割工具をテープ心線の長手方向に移動させて必要長さのみを分割するので、テープ心線を簡単に必要長さのみに分割でき、且つ前記テープ心線に剪断残さが残る事態を無くすことができる。
【００１６】
また、この発明の光ファイバテープ心線の分割方法によれば、可動側剪断用部材を剪断の順方向に移動してテープ心線を分割するように剪断した後にテープ心線分割工具をテープ心線の長手方向に移動させて必要長さのみを分割し、次いで、前記剪断の順方向とは逆方向に移動して前記テープ心線を再剪断して剪断残さを切断した後に、再びテープ心線分割工具をテープ心線の長手方向に移動させて前記剪断残さを取り除きながら分割するので、テープ心線を簡単に必要長さのみに分割でき、且つ前記テープ心線に剪断残さが残る事態を無くすことができる。
【発明を実施するための最良の形態】
【００１７】
以下、この発明の実施の形態について図面を参照して説明する。
【００１８】
図１（Ａ）〜（Ｃ）を参照するに、この実施の形態に係る光ファイバテープ心線分割工具１（以下、単に「テープ心線分割工具」という）は、作業者が手で把持するためのグリップ３を備えた工具本体部５と、この工具本体部５に突き合わせ可能で、且つヒンジ部７を介して回動自在に設けた上型部９が設けられている。
【００１９】
さらに、前記工具本体部５の下部には、光ファイバテープ心線１１（以下、単に「テープ心線」という）をその厚さ方向に剪断力を加えて分割するための可動側剪断用部材１３と、この可動側剪断用部材１３を図１（Ａ）において左右方向に移動するためのトリガ１５を備えた可動側剪断用部材移動装置１７（手段）が設けられている。また、前記上型部９には、前記可動側剪断用部材１３と協働して前記テープ心線１１をその厚さ方向に剪断力を加えて分割するための固定側剪断用部材１９が前記可動側剪断用部材１３に対向する位置に設けられている。
【００２０】
なお、上型部９には、固定側剪断用部材１９を工具本体部５の可動側剪断用部材１３に対して開閉するためのレバー９Ａが例えば一体化されて設けられている。
【００２１】
上記の固定側剪断用部材１９には、図１（Ｂ）に示されているように上記のテープ心線１１をその幅方向に挿入可能で、且つ前記テープ心線１１を所望の位置で分割すべく異なる深さで並列に設けた複数の第１スロットとしての例えば上部スロット２１と、前記各上部スロット２１のコーナ部に形成して前記テープ心線１１をその厚さ方向に剪断力を加えて分割する複数の第１剪断刃としての例えば上部剪断刃２３が備えられている。
【００２２】
一方、上記の可動側剪断用部材１３には、前記固定側剪断用部材１９の複数の各上部スロット２１に対向して前記テープ心線１１をその幅方向に挿入可能で、且つ前記テープ心線１１を所望の位置で分割すべく異なる深さで並列に設けた複数の第２スロットとしての例えば下部スロット２５と、前記各下部スロット２５のコーナ部に形成して前記複数の各上部剪断刃２３と協働して前記テープ心線１１を分割する複数の第２剪断刃としての例えば下部剪断刃２７が備えられている。
【００２３】
より詳しくは、上記の複数の上部、下部スロット２１，２５の組合せでは、テープ心線１１を所望の分割比で分割を可能とするために、例えば８心テープ心線１１の場合は、心数が４：４、あるいは２：６などのように所望の分割比で分割を可能とするために、深さが異なっている。換言すれば、複数の上部、下部剪断刃２３，２７の長さが異なっている。すなわち、図１（Ｂ）における左端の上部、下部スロット２１，２５は、テープ心線１１の幅の中央で分割する組合せであり、右へ順に、上部スロット２１に挿入されるテープ心線１１の心数を１つずつ少なくし、且つ下部スロット２５に挿入されるテープ心線１１の心数を１つずつ多くして分割できるように構成されている。
【００２４】
したがって、分割するためのテープ心線１１は、所望の分割比で分割するための上部、下部スロット２１，２５に挿入すればよい。例えば、図３（Ａ）では上部、下部スロット２１，２５には８心テープ心線１１が挟み込まれるもので、心数が４：４の分割比で分割できるものである。
【００２５】
また、上記の可動側剪断用部材移動装置１７は、可動側剪断用部材１３を固定側剪断用部材１９に対して前記テープ心線１１を剪断する順方向に移動して前記テープ心線１１を剪断した後に前記剪断の順方向とは逆方向に移動して前記テープ心線１１を再剪断せしめるように構成されている。
【００２６】
上記の可動側剪断用部材移動装置１７について、一例を挙げてより詳しく説明する。
【００２７】
図２を併せて参照するに、可動側剪断用部材移動装置１７は、トリガ１５を備えた平板状の駆動部材２９が２つの長穴部３１とこの長穴部３１に挿入した係合ピン３３で工具本体部５の側面に対して図１（Ａ）および図２において左右方向に移動可能に設けられており、この駆動部材２９は工具本体部５の左端側に設けた第１スプリング３５で常時左方向へ付勢されている。なお、駆動部材２９の左端は工具本体部５に設けた第１ストッパ部３７で上記の付勢力が停止される構成である。なお、この第１ストッパ部３７は、前述した剪断の順方向とは逆方向に移動した可動側剪断用部材１３が前記テープ心線１１を再剪断する位置に設けられている。
【００２８】
また、上記の可動側剪断用部材１３は、上記の駆動部材２９とは独立して、図示しないガイド部により工具本体部５に対して図１（Ａ）および図２において左右方向に移動可能に設けられており、工具本体部５の左端側に設けた第２スプリング３９で常時左方向へ付勢されている。なお、可動側剪断用部材１３の左端は工具本体部５に設けた第２ストッパ部４１で上記の付勢力が停止される構成である。
【００２９】
さらに、駆動部材２９には、可動側剪断用部材１３を図１（Ａ）および図２において右方向へ移動すべく可動側剪断用部材１３に係合する係合杆４３の先端部４３Ａが駆動部材２９の上面より上方へ突出すると共に前記係合杆４３の後端部４３Ｂが駆動部材２９の下面より下方へ突出し、かつ前記係合杆４３の先端部４３Ａが下方へ回動できるように軸部４５で軸支されている。しかも、係合杆４３は第３スプリング４７で図２において反時計回り方向へ常時付勢されており、前記係合杆４３の先端部４３Ａが駆動部材２９の上面より常時上方へ突出すべく第３ストッパ部４９で上記の付勢力が停止される構成である。
【００３０】
一方、可動側剪断用部材１３の下面には、前記係合杆４３の先端部４３Ａに係合する係合部としての例えば段付部５１が設けられている。
【００３１】
したがって、作業者がトリガ１５を指で図１（Ａ）および図２において右方へ引っ張ると、駆動部材２９が第１スプリング３５の付勢力に抗して右方へ移動し、係合杆４３の先端部４３Ａが可動側剪断用部材１３の段付部５１に係合して可動側剪断用部材１３を第２スプリング３９の付勢力に抗して右方へ移動せしめることになる。
【００３２】
また、上記の駆動部材２９は、図示しないボールプランジャのようなストッパ装置により、図２の実線で示されているように、係合杆４３の先端部４３Ａが可動側剪断用部材１３の段付部５１に係合した状態で、かつ、可動側剪断用部材１３の複数の各下部スロット２５が固定側剪断用部材１９の複数の各上部スロット２１に対向してテープ心線１１をその幅方向に挿入できる原位置で常時停止するように構成されている。
【００３３】
また、前記係合杆４３の先端部４３Ａと可動側剪断用部材１３の段付部５１との係合状態を解除するための第４ストッパ部５３が、上記の原位置において駆動部材２９の下面より下方へ突出した係合杆４３の後端部４３Ｂの右側に係合する構成で工具本体部５に設けられている。
【００３４】
なお、可動側剪断用部材移動装置１７としては、前述した一例の構成に限定されるものではなく、他の構成でも良い。すなわち、可動側剪断用部材１３が固定側剪断用部材１９に対してテープ心線１１を剪断する順方向に移動されて前記テープ心線１１を剪断した後に前記剪断の順方向とは逆方向に移動して前記テープ心線１１を再剪断せしめる構成であればよい。
【００３５】
次に、上記構成により、光ファイバテープ心線分割工具１の作用について説明する。
【００３６】
図１において上型部９をヒンジ部７を支点として時計方向回りに回動して固定側剪断用部材１９を可動側剪断用部材１３から開放してから、分割するためのテープ心線１１が所望の分割比で分割するための上部、下部スロット２１，２５に挿入される。例えば、図３（Ａ）に示されているように、８心テープ心線１１が心線を４：４の分割比で分割できる上部、下部スロット２１，２５に挿入されてセットされる。
【００３７】
上型部９を元の位置へ回動して固定側剪断用部材１９と可動側剪断用部材１３を突き合わしてから、トリガ１５を図１（Ａ）および図２において右方へ引っ張ると、駆動部材２９は図１（Ｂ）および図２の実線の原位置から右方へ移動する。
【００３８】
このとき、係合杆４３の後端部４３Ｂが第４ストッパ部５３で右方への移動を阻止されるので、係合杆４３が第３スプリング４７の付勢力に抗して図２において時計回り方向に回動し、この係合杆４３の先端部４３Ａの右方への回動移動により、段付部５１を介して可動側剪断用部材１３が第２スプリング３９の付勢力に抗して右方の二点鎖線の位置へ移動する。したがって、可動側剪断用部材１３の下部スロット２５および下部剪断刃２７が右方へ、つまり前記テープ心線１１を剪断する順方向に移動する。
【００３９】
その結果、上記の８心テープ心線１１は、図３（Ｂ）に示されているように上部剪断刃２３と下部剪断刃２７との協働で８心テープ心線１１の厚さ方向に剪断され、心数が４：４の分割比で分割テープ心線１１Ａ，１１Ｂに分割される。このとき、分割された下部の分割テープ心線１１Ｂの剪断面に余剰被覆５５（剪断残さで、以下、単に「耳」という）が残ることになる。
【００４０】
その後、係合杆４３の先端部４３Ａが図２において時計回り方向の回動に伴って図２の二点鎖線の位置で可動側剪断用部材１３の段付部５１から外れると、可動側剪断用部材１３が第２スプリング３９の付勢力により図２において左方の点線の位置〔図１（Ｃ）では二点鎖線の位置から実線の位置〕へ移動する。したがって、可動側剪断用部材１３の下部スロット２５および下部剪断刃２７が左方へ、つまり前記剪断の順方向とは逆方向に移動する。なお、可動側剪断用部材１３は前記テープ心線１１を再剪断した後に剪断の逆方向の移動が第１ストッパ部３７により図２の点線の位置で停止する。
【００４１】
その結果、上記の８心テープ心線１１は、図３（Ｃ）に示されているように上部剪断刃２３と下部剪断刃２７との協働で再剪断されることになり、上記の下部の分割テープ心線１１Ｂの耳５５を切断できる。
【００４２】
次いで、図３（Ｃ）の状態で、テープ心線分割工具１を８心テープ心線１１の長手方向にスライド移動させることにより、図３（Ｄ）に示されているように上部、下部スロット２１，２５の中の８心テープ心線１１がその長手方向に裂かれる。しかも、分割されるテープ心線１１には耳５５がない状態で必要な長さだけ分割することができる。
【００４３】
作業者がトリガ１５を指から外すと、駆動部材２９が第１スプリング３５の付勢力により図２において左方へ移動し、第１ストッパ部３７により図２の点線の位置で停止する。このとき、係合杆４３は図２の二点鎖線の状態で左方へ移動し、係合杆４３の先端部４３Ａが図２の点線の可動側剪断用部材１３の段付部５１から外れて左方へ移動すると、係合杆４３が第３スプリング４７の付勢力で図２において反時計回り方向へ回動して第３ストッパ部４９で停止するので、係合杆４３の先端部４３Ａが駆動部材２９の上面より上方へ突出した原位置の状態となる。
【００４４】
その後、再び、トリガ１５を指で図１（Ａ）および図２において右方へ引っ張って前述したように可動側剪断用部材１３を原位置に戻しておく。図１において上型部９を時計方向回りに回動して固定側剪断用部材１９を可動側剪断用部材１３から開放し、部分的に分割された８心テープ心線１１がテープ心線分割工具１から取り出される。
【００４５】
なお、前述した実施の形態では、可動側剪断用部材１３を剪断の順方向に移動してテープ心線１１を分割するように剪断した後に、剪断の順方向とは逆方向に移動して前記分割テープ心線１１Ｂの耳５５を再剪断し、その後にテープ心線分割工具１をスライド移動して必要な長さだけ分割しているが、これとは別の工程でも良い。
【００４６】
例えば、可動側剪断用部材１３を剪断の順方向に移動してテープ心線１１を分割するように剪断してからテープ心線分割工具１をテープ心線１１の長手方向にスライド移動してテープ心線１１を必要長さのみ分割する。この場合、図２では、トリガ１５により駆動部材２９を実線の原位置から右方へ移動して係合杆４３の先端部４３Ａが可動側剪断用部材１３の段付部５１から外れる直前で、一旦、前記駆動部材２９の移動を例えば図示しないストッパにより停止せしめる。この状態でテープ心線分割工具１をテープ心線１１の長手方向にスライド移動することにより、テープ心線１１を必要な長さだけ分割することができる。
【００４７】
その後に、前記ストッパを解除してトリガ１５をさらに右方へ引いて駆動部材２９を右方へ移動させることにより、係合杆４３の先端部４３Ａが可動側剪断用部材１３の段付部５１から外れるので、可動側剪断用部材１３が第２スプリング３９の付勢力により前記剪断の順方向とは逆方向に移動して前記分割テープ心線１１Ｂの耳５５を再剪断する。その後にテープ心線分割工具１をテープ心線１１の長手方向にスライド移動して必要な長さだけ前記耳５５を剪断する。このような工程でも、前述した実施の形態と同様の効果が得られる。
【００４８】
さらに、別の分割方法としては、前述した実施の形態のように可動側剪断用部材１３を剪断の順方向に移動してテープ心線１１を分割するように剪断した後に、剪断の順方向とは逆方向に移動して前記分割テープ心線１１Ｂの耳５５を再剪断した後に、このテープ心線１１をテープ心線分割工具１から取り出す。この取り出されたテープ心線１１の分割部分、すなわち上下の分割テープ心線１１Ａ，１１Ｂと耳５５とに３分割した部分から、例えば作業者の手の爪で必要な長さだけ引き裂いて分割することもできる。
【００４９】
以上のことから、この実施の形態のテープ心線分割工具１は、可動側剪断用部材１３を剪断の順方向に移動してテープ心線１１を分割するように剪断した後に剪断の順方向とは逆方向に移動して前記テープ心線１１を再剪断する構成であるので、分割されたテープ心線１１に耳５５が残ることがなくなり、多心融着接続機のファイバホルダなどにセットしやすくなる。
【図面の簡単な説明】
【００５０】
【図１】（Ａ）は、この発明の実施の形態の光ファイバテープ心線分割工具の概略的な正面図で、（Ｂ），（Ｃ）は固定側剪断用部と可動側剪断用部の動作を示す部分的な拡大図である。
【図２】可動側剪断用部材移動装置の部分的な概略説明図である。
【図３】（Ａ）〜（Ｄ）は、この発明の実施の形態の光ファイバテープ心線分割工具によるテープ心線の剪断動作を示す概略説明図である。
【図４】（Ａ）〜（Ｄ）は、従来の光ファイバテープ心線分割工具によるテープ心線の剪断動作を示す概略説明図である。この発明の実施の形態を示すもので、図である。
【図５】従来の分割テープ心線を多心融着接続機のファイバホルダにセットしたときの状態説明図である。
【符号の説明】
【００５１】
１  光ファイバテープ心線分割工具
３  グリップ
５  工具本体部
７  ヒンジ部
９  上型部
１１  光ファイバテープ心線
１３  可動側剪断用部材
１５  トリガ
１７  可動側剪断用部材移動装置
１９  固定側剪断用部材
２１  上部スロット（第１スロット）
２３  上部剪断刃（第１剪断刃）
２５  下部スロット（第２スロット）
２７  下部剪断刃（第２剪断刃）
５５  耳（余剰被覆、剪断残さ）
【図１】
2007304412.tif 000003
【図２】
2007304412.tif 000004
【図３】
2007304412.tif 000005
【図４】
2007304412.tif 000006
【図５】
2007304412.tif 000007